(57)【要約】【課題】  書き換え可能なＲＦＩＤを用いて遊技機の管理を行う。遊技機を設置した後に異常の有無を検査可能にする。【解決手段】  ＣＰＵ及び半導体メモリを含む電子部品を搭載した基板と、前記基板の電気的接続のための複数の電線を含むハーネスとを備える遊技機において、情報の記憶及び書き換えが可能なＲＦＩＤを、前記ＣＰＵ、前記半導体メモリ、前記基板及び前記ハーネスの少なくともひとつに設け、さらに、前記ＲＦＩＤと無線で通信を行い前記ＲＦＩＤの情報の読み出し及び書き込み処理を行うＲＦＩＤリーダ／ライターを遊技機内に備える。前記ＲＦＩＤリーダ／ライターは、予め定められたタイミングで前記ＲＦＩＤの情報を読み出し、読み出した情報を予め定められた情報と比較することにより異常の有無を判定し、異常が無いと判定されたときに、前記ＲＦＩＤの情報を予め定められた情報に書き換える。【選択図】        図２
2006000519.tif 000002
【特許請求の範囲】
【請求項１】
ＣＰＵ及び半導体メモリを含む電子部品を搭載した基板と、前記基板の電気的接続のための複数の電線を含むハーネスとを備える遊技機において、
情報の記憶及び書き換えが可能なＲＦＩＤを、前記ＣＰＵ、前記半導体メモリ、前記基板及び前記ハーネスの少なくともひとつに設け、
さらに、前記ＲＦＩＤと無線で通信を行い前記ＲＦＩＤの情報の読み出し及び書き込み処理を行うＲＦＩＤリーダ／ライターを遊技機内に備え、
前記ＲＦＩＤリーダ／ライターは、予め定められたタイミングで前記ＲＦＩＤの情報を読み出し、読み出した情報を予め定められた情報と比較することにより異常の有無を判定し、異常が無いと判定したときに、前記ＲＦＩＤの情報を予め定められた情報に書き換える、ことを特徴とする遊技機。
【請求項２】
前記ＲＦＩＤリーダ／ライターは、
前記ＲＦＩＤの情報を予め定められた情報に書き換えるときに、時刻情報又は更新回数あるいはこれらの少なくともひとつを所定の関数や論理演算で変形した情報を含む遊技機に固有な情報を前記ＲＦＩＤに書き込み、
異常の有無を判定するときに、読み出した情報が前記固有な情報と異なる場合、又は、複数のＲＦＩＤ間で前記固有な情報に不一致があった場合に異常が有ると判定することを特徴とする請求項１記載の遊技機。
【請求項３】
前記ＲＦＩＤリーダ／ライターは、
前記ＲＦＩＤの情報を予め定められた情報に書き換えるときに、前記ＲＦＩＤに予め記憶されている製品情報を読み出し、当該製品情報を他のＲＦＩＤに書き込み、
異常の有無を判定するときに、前記ＲＦＩＤから読み出した製品情報が他のＲＦＩＤから読み出した製品情報と異なる場合に異常が有ると判定することを特徴とする請求項１記載の遊技機。
【請求項４】
前記ＲＦＩＤリーダ／ライターは、
前記ＲＦＩＤの情報を予め定められた情報に書き換えるときに、前記半導体メモリの内容を読み出し、前記半導体メモリの内容に対応する固有の特徴値を生成し、前記特徴値を前記ＲＦＩＤに書き込み、
異常の有無を判定するときに、前記ＲＦＩＤから読み出した特徴値が予め与えられた特徴値又は前記ＲＦＩＤから読み出した特徴値と異なる場合に異常が有ると判定することを特徴とする請求項１記載の遊技機。
【請求項５】
前記ＲＦＩＤを検出するためのアンテナを、遊技機前面の扉の端部、前記扉の端部に対応する筐体の角又は前記扉の端部と前記筐体の角の間に設け、
前記ＲＦＩＤリーダ／ライターは、前記アンテナで前記ＲＦＩＤを検出したときに前記ＲＦＩＤの情報を読み出すことを特徴とする請求項１記載の遊技機。
【請求項６】
ＣＰＵ及び半導体メモリを含む電子部品を搭載した基板と、前記基板の電気的接続のための複数の電線を含むハーネスとを備え、情報の記憶及び書き換えが可能なＲＦＩＤを、前記ＣＰＵ、前記半導体メモリ、前記基板及び前記ハーネスの少なくともひとつに設けたことを特徴とする遊技機の検査方法であって、
予め定められたタイミングで前記ＲＦＩＤの情報を読み出すステップと、
読み出した情報を予め定められた情報と比較することにより異常の有無を判定するステップと、
異常が無いと判定したときに、前記ＲＦＩＤの情報を予め定められた情報に書き換えるステップとを備えることを特徴とする遊技機の検査方法。
【請求項７】
異常が有ると判定したときに、エラー報知を行うステップを備えることを特徴とする請求項６記載の遊技機の検査方法。
【請求項８】
ＣＰＵ及び半導体メモリを含む電子部品を搭載した基板と、前記基板の電気的接続のための複数の電線を含むハーネスとを備え、情報の記憶及び書き換えが可能なＲＦＩＤを、前記ＣＰＵ、前記半導体メモリ、前記基板及び前記ハーネスの少なくともひとつに設けたことを特徴とする遊技機の検査方法をコンピュータに実行させるためのプログラムであって、
予め定められたタイミングで前記ＲＦＩＤの情報を読み出すステップと、
読み出した情報を予め定められた情報と比較することにより異常の有無を判定するステップと、
異常が無いと判定したときに、前記ＲＦＩＤの情報を予め定められた情報に書き換えるステップとを実行させるためのプログラム。
【発明の詳細な説明】
【技術分野】
【０００１】
この発明は、遊技機及び遊技機の検査方法並びにプログラムに関し、特に書き換え可能なＲＦＩＤを用いて検査を行うためのものに関する。
【背景技術】
【０００２】
従来の遊技機で、遊技性に係る主要な制御を行うメイン基板等の電子部品に、非接触でＩＤコード等の製品情報を認識可能とするＲＦＩＤ（Radio Frequency Identification、以下「ＲＦＩＤ」という。）を装着したものがある。
【０００３】
上記ＲＦＩＤは、集積回路（記憶部を含む。）と、無線回路と、アンテナとを備える応答機である。これに対応する質問機としてＲＦＩＤから情報を読み取ったり情報を書き込んだりするための読込・書込装置（以下「ＲＦＩＤリーダ／ライター」という）がある。これは、制御部と、無線回路と、アンテナとを備えるものである。ＲＦＩＤが非接触で通信を行うための方式として、１３．５６ＭＨｚの交流磁界によるコイルの相互誘導を利用して通信する電磁結合型・電磁誘導型、２．４５ＧＨｚのマイクロ波で送受信を行うマイクロ波型がある。
【発明の開示】
【発明が解決しようとする課題】
【０００４】
遊技機における従来のＲＦＩＤの使用方法は、ＲＦＩＤに一定値のデータを記憶しておき、このデータを他のデータと照合させ、双方のデータが合致するかどうかを判断させるものであった。従来のＲＦＩＤは読み取り専用で製品出荷後にデータを書き換えることができなかった。
【０００５】
本発明は、書き換え可能なＲＦＩＤを用いて遊技機の管理を行うとするものであり、遊技機を設置した後に異常の有無を検査可能にするものである。
【課題を解決するための手段】
【０００６】
本発明は、ＣＰＵ及び半導体メモリを含む電子部品を搭載した基板と、前記基板の電気的接続のための複数の電線を含むハーネスとを備える遊技機において、
情報の記憶及び書き換えが可能なＲＦＩＤを、前記ＣＰＵ、前記半導体メモリ、前記基板及び前記ハーネスの少なくともひとつに設け、
さらに、前記ＲＦＩＤと無線で通信を行い前記ＲＦＩＤの情報の読み出し及び書き込み処理を行うＲＦＩＤリーダ／ライターを遊技機内に備え、
前記ＲＦＩＤリーダ／ライターは、予め定められたタイミングで前記ＲＦＩＤの情報を読み出し、読み出した情報を予め定められた情報と比較することにより異常の有無を判定し、異常が無いと判定されたときに、前記ＲＦＩＤの情報を予め定められた情報に書き換える、ことを特徴とするものである。
予め定められた情報として、例えば、ＲＦＩＤの情報の変更履歴、ＲＦＩＤの固有情報とこれに関する予め登録された情報、管理情報などを用いることができる。具体的には、ＲＦＩＤの情報（ＲＯＭのバージョンなど）が前回と変わっていて、しかもその変更が更新履歴に現れていない場合、ＲＦＩＤの固有情報（ＲＯＭの検査合計など）が予め登録された情報と一致しない場合、ＲＦＩＤリーダ／ライター４で書き込んだ管理情報（書き込み処理を行った時刻など筐体固有の情報）が一部のＲＦＩＤで異なっている場合など、異常有りと判定する。なお、上記の予め定められた情報はあくまでも例であって、本発明の予め定められた情報は上記例に限定されない。
なお、前記ＲＦＩＤの情報を読み出して比較する場合の「予め定められた情報」と、前記ＲＦＩＤの情報を書き換える場合の「予め定められた情報」は、同じものでもよいし、異なるものであってもよい。
【０００７】
予め定められたタイミングとして、例えばタイマーにより定期的に読み出し・書き換えたり、部品交換時に読み出し・書き換えを行うようにする。部品交換時は、スイッチ操作又は筐体出口に設けたアンテナで検出することができる。
書き換え用の情報として、ＲＯＭの特徴値（検査合計、ハッシュ値、など）、部品の製品情報、部品の交換履歴（いつどの部品を交換したか、など）を用いることができる。
判定の例を挙げる。定期的に書き換えることにしているにもかかわらずＲＦＩＤの情報が更新されていないとき異常と判定する。部品の製品情報が一致しないとき異常と判定する。ＲＦＩＤの部品の交換履歴が一致しないとき異常と判定する。ＲＦＩＤのＲＯＭの特徴値が与えられた特徴値と一致しないとき異常と判定する。
【０００８】
ＲＦＩＤ（Radio Frequency Identification）とは、電子的なタグの一種であり、内部に電子的な情報をもち、読取装置と電波で通信することで物を識別する装置である。一般的には、ＲＦＩＤはアンテナと、無線回路と、情報を記憶したり読み出したりするための制御回路と、情報を記憶するメモリとを備える。ＲＦＩＤについて、移動体識別装置、リモートＩＤ、ＩＣタグ、ＩＤタグ、ＲＦタグ、無線タグ、電子タグ、トランスポンダなどさまざまな名称が用いられているが、本明細書において上記機能を実現できるものをＲＦＩＤと呼ぶことにする。
【０００９】
前記ＲＦＩＤリーダ／ライターは、具体的には、
前記ＲＦＩＤの情報を予め定められた情報に書き換えるときに、時刻情報又は更新回数あるいはこれらの少なくともひとつを所定の関数や論理演算で変形した情報を含む遊技機に固有な情報を前記ＲＦＩＤに書き込み、
異常の有無を判定するときに、読み出した情報が前記固有な情報と異なる場合、又は、複数のＲＦＩＤ間で前記固有な情報に不一致があった場合に異常が有ると判定する。
【００１０】
前記ＲＦＩＤリーダ／ライターは、具体的には、
前記ＲＦＩＤの情報を予め定められた情報に書き換えるときに、前記ＲＦＩＤに予め記憶されている製品情報を読み出し、当該製品情報を他のＲＦＩＤに書き込み、
異常の有無を判定するときに、前記ＲＦＩＤから読み出した製品情報が他のＲＦＩＤから読み出した製品情報と異なる場合に異常が有ると判定する。
【００１１】
前記ＲＦＩＤリーダ／ライターは、具体的には、
前記ＲＦＩＤの情報を予め定められた情報に書き換えるときに、前記半導体メモリの内容を読み出し、前記半導体メモリの内容に対応する固有の特徴値を生成し、前記特徴値を前記ＲＦＩＤに書き込み、
異常の有無を判定するときに、前記ＲＦＩＤから読み出した特徴値が予め与えられた特徴値又は前記ＲＦＩＤから読み出した特徴値と異なる場合に異常が有ると判定する。
【００１２】
前記ＲＦＩＤを検出するためのアンテナを、遊技機前面の扉の端部（例えば図１３（ａ）のＡ）、前記扉の端部に対応する筐体の角（例えば図１３（ａ）のＡ’）又は前記扉の端部と前記筐体の角の間（例えば図１３（ｂ）のＡ’’）に設け、
前記ＲＦＩＤリーダ／ライターは、前記アンテナで前記ＲＦＩＤを検出したときに前記ＲＦＩＤの情報を読み出すようにしてもよい。
【００１３】
この発明は、ＣＰＵ及び半導体メモリを含む電子部品を搭載した基板と、前記基板の電気的接続のための複数の電線を含むハーネスとを備え、情報の記憶及び書き換えが可能なＲＦＩＤを、前記ＣＰＵ、前記半導体メモリ、前記基板及び前記ハーネスの少なくともひとつに設けたことを特徴とする遊技機の検査方法であって、
予め定められたタイミングで前記ＲＦＩＤの情報を読み出すステップと、
読み出した情報を予め定められた情報と比較することにより異常の有無を判定するステップと、
異常が無いと判定したときに、前記ＲＦＩＤの情報を予め定められた情報に書き換えるステップとを備えるものである。
【００１４】
異常が有ると判定したときに、エラー報知を行うステップを備えるようにしてもよい。
【００１５】
本発明は、上記検査方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１６】
また、電話回線等の有線通信媒体、マイクロ波回線等の無線通信媒体等の通信媒体を含む。インターネットもここでいう通信媒体に含まれる。
【００１７】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１８】
本発明によれば、遊技機の部品であるＲＯＭ，ＣＰＵ、基板、ハーネス等の少なくともひとつにＲＦＩＤを設けて、これらに関する情報をＲＦＩＤリーダ／ライターで書き換えるとともに前記情報を読み取って管理するようにしたので、遊技機の設置後において部品の異常を容易に発見することができる。部品交換を伴う不正行為を有効に防止することができる。
【発明を実施するための最良の形態】
【００１９】
発明の実施の形態１．
この発明の実施の形態に係る遊技機について図面を参照して説明する。
図１は遊技機（スロットマシン、回胴式遊技機とも呼ばれる）の正面図である。
スロットマシン１０で遊技を楽しもうとする遊技者は、まずメダル貸機（図示しない）等から遊技媒体であるメダルを借り、メダル投入装置のメダル投入口１００に直接メダルを入れる。メダル投入口１００は、スロットマシン１０の正面で略中央の高さに設けられている。
【００２０】
スロットマシン１０は、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。ベットスイッチ１６は、回転リール４０の下方に位置するスイッチであって、メダル投入口１００に連続してメダル投入をして貯留させた貯留メダル数を減じてメダル投入に代える。精算スイッチ１７は、回転リールの斜め下方に位置するスイッチであって、貯留した投入メダルを払い出す。スタートスイッチ３０は回転リール４０の斜め下方に位置するレバーであって、遊技メダルの投入若しくはベットスイッチ１６の投入を条件に、リールユニット６０の駆動を開始させる。ストップスイッチ５０は、リールユニット６０の駆動を停止させるためのものである。リールユニット６０は、三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。６２は各種の演出を行うための液晶表示部である。
【００２１】
スロットマシン１０の内部には、後述のように、スロットマシン１０の全体の動作を制御するための制御装置が内蔵されている。制御装置は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで動作させるものであり、具体的には、スタートスイッチ３０及びストップスイッチ５０の操作に基づき回転リール４０の回転及び停止を制御するとともに、ランプやスピーカ等の表示を制御する。ＣＰＵが動作する際に必要な一時的なデータなどはＲＡＭ（記憶部：一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００２２】
スタートスイッチ３０は、前述のように回転リール４０の斜め下方に位置するレバーであって、遊技メダルの投入若しくはベットスイッチ１６の投入を条件に、または、入賞判定に応じて得られる「再遊技（Ｒｅｐｌａｙ）」時には前遊技からの所定時間経過を条件に、リールユニット６０の駆動を開始させるためのものである。
【００２３】
ストップスイッチ５０は、前述のようにリールユニット６０の駆動を停止させるためのものである。具体的には、ストップスイッチ５０は、各回転リール４０に対応した三個のスイッチから構成され、各回転リール４０の下方に１個ずつ配置されているものである。回転リール４０に対応したストップスイッチ５０の操作により、当該対応した回転リール４０の回転を停止するように設定されている。
【００２４】
メダルの投入若しくはベットスイッチ１６の投入を条件に、または、前記「再遊技（Ｒｅｐｌａｙ）」時には前遊技から所定時間経過を条件に、スタートスイッチ３０を操作すると、リールユニット６０が駆動され、三個の回転リール４０が回転を開始する。その後、ストップスイッチ５０の一個を操作すると、当該対応する回転リール４０の回転が停止する。そして、ストップスイッチ５０を三個全て操作すると、三個の回転リール４０の回転が全て停止する。このとき、表示窓１３の有効入賞ライン上に、予め設定された図柄６１が停止すると入賞と判定され、図示しないホッパーユニットを介して所定枚数のメダルが払い出される。なお、メダルを払い出す代わりに、クレジットしてもよい。
【００２５】
図２はスロットマシン１０の電気的な概略構造を示すブロック図である。この図において電源系統についての表示は省略されている。スロットマシン１０は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
【００２６】
メイン基板１は、遊技者の操作を受けて内部抽選を行ったり、リールの回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。
【００２７】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１からサブ基板２への一方のみであり、逆にサブ基板２からメイン基板１へコマンド等が出されることはない。
【００２８】
メイン基板１にはスタートスイッチ３０，ストップスイッチ５０，リール駆動部７０，リール位置検出回路７１、ホッパー駆動部８０、ホッパー８１及びホッパー８１から払い出されたメダルの枚数を数えるためのメダル検出部８２が接続されている。サブ基板２には液晶表示装置６２の制御基板２００、スピーカ２０１、ＬＥＤ基板２０２などの周辺基板（ローカル基板）が接続されている。
【００２９】
本発明の実施の形態は、ソケットやコネクタで装着され容易に交換可能で、不正行為者に狙われやすいＲＯＭ、ＣＰＵ、基板、基板間を接続するワイヤハーネス（以下、単にハーネスと記す）にＲＦＩＤを取り付けたことを特徴とする。なお、リールユニット７０，７１、ホッパーユニット８０，８１，８２、図示しない電源ユニットにＲＦＩＤを取り付けるようにしてもよい。メイン基板１のＣＰＵ１ａにはＲＦＩＤ１ａ−Ｒが、同ＲＯＭ１ｂにはＲＦＩＤ１ｂ−Ｒが、メイン基板１にはＲＦＩＤ１−Ｒがそれぞれ取り付けられている。サブ基板２のＣＰＵ２ａにはＲＦＩＤ２ａ−Ｒが、同ＲＯＭ２ｂにはＲＦＩＤ２ｂ−Ｒが、サブ基板２にはＲＦＩＤ２−Ｒがそれぞれ取り付けられている。メイン基板１とサブ基板２を接続するハーネス３にはＲＦＩＤ３−Ｒが取り付けられている。各ＲＦＩＤはそれぞれしっかりと固定されていて容易に取り外せないようになっている。
【００３０】
ＲＦＩＤとは電子的なタグの一種であり、内部に電子的な情報をもち、読取装置と電波で通信することで物（本発明の実施の形態ではＲＯＭ、ＣＰＵ、基板、ハーネス）を識別する装置である。ＲＦＩＤは、保持する情報量が多い、離れていても認識することができる、多数のＲＦＩＤを同時に認識することができる、保持している情報量を書き換えることができる、といった特徴を備える。図示しないが、ＲＦＩＤは、アンテナと、無線回路と、情報を記憶したり読み出したりするための制御回路と、情報を記憶するメモリとを備える。
【００３１】
各ＲＦＩＤには製品情報や履歴情報などの管理情報を記憶することができる。例えば製品情報として次のような情報を予め記憶している。
（１）ＩＤ番号
（２）メーカー情報
（３）ユニット名（例：コード）
（４）工場製造日
（５）工場検査日
（６）出荷日
（７）出荷先（例：コード）
（８）設置日
（９）設置場所
（１０）取付部品名（例：コード）
（１１）リサイクルのパラメータ
（１２）回収日
【００３２】
本発明の実施の形態は、遊技機の筐体内にＲＦＩＤリーダ／ライター４をさらに備えることを特徴とする。ＲＦＩＤリーダ／ライター４は、遊技機の筐体内の各ＲＦＩＤと通信を行い、その情報を読み取るとともに、必要に応じて情報を書き込むことができる。例えば、電磁結合型・電磁誘導型のＲＦＩＤであればコイル（アンテナ）を各部品の近くに配置することにより、ＲＦＩＤリーダ／ライター４は全てのＲＦＩＤと通信可能になる。マイクロ波型であれば、指向性アンテナを複数設けて各ＲＦＩＤに向けたり、無指向性アンテナを用いることにより、ＲＦＩＤリーダ／ライター４は全てのＲＦＩＤと通信可能になる。
【００３３】
ＲＦＩＤリーダ／ライター４は、図示しないが、アンテナと、無線回路と、ＲＦＩＤに情報を記憶させたりＲＦＩＤから情報を読み出したりするための制御回路と、情報を表示するための表示装置と、他のコンピュータと通信するためのネットワーク装置とを備える。本発明の実施の形態に係るＲＦＩＤリーダ／ライター４はその機能として、図３（ａ）の読み出し処理を行う読み出し処理部４１と、図３（ｂ）の書き込み処理を行う書き込み処理部４２とを備える。これら処理部４１，４２は、ＲＦＩＤリーダ／ライター４に追加したＣＰＵなどのハードウエアで実現してもよいし、ＲＦＩＤリーダ／ライター４にプログラムを追加してソフトウエアで実現してもよい。
【００３４】
なお、筐体外のＲＦＩＤリーダ／ライター５（例えばハンディタイプのもの）を用いて遊技機の筐体内の各ＲＦＩＤと通信することもできる。
【００３５】
本発明の実施の形態は、遊技機の筐体内のＲＯＭ、ＣＰＵ、基板、ハーネス等のそれぞれにＲＦＩＤを設けるとともに、遊技機の筐体内にＲＦＩＤリーダ／ライターを設けることを特徴とする。ＲＦＩＤにはＲＯＭ、ＣＰＵ、基板、ハーネス等に関する情報を記憶し、ＲＯＭ、ＣＰＵ、基板、ハーネス等の情報が変わったときにアクティブにＲＦＩＤライターによってＲＦＩＤの情報を書き換え、ＲＦＩＤの情報に状況の変化を反映させることを特徴とする。
【００３６】
本発明の実施の形態に係る方法の概要を図３に基づき説明する。図３（ａ）はＲＦＩＤリーダ／ライターにより行われるＲＦＩＤ読み出し処理を示し、図３（ｂ）は同ＲＦＩＤ書き換え処理を示す。
【００３７】
Ｓ１：ＲＦＩＤ読み出しタイミングに該当する場合（ＹＥＳ）、ＲＦＩＤの情報の読み出しを行う。どのようなタイミングで読み出しを行うかは予め定められている。例えば、タイマーを用いて定期的に読み出したり、外部からの信号やスイッチ操作に応じて読み出したりする。
【００３８】
Ｓ２：ＲＦＩＤの情報を読み出す。ＲＦＩＤリーダ／ライター４は各ＲＦＩＤと通信可能になっており、各ＲＦＩＤから情報を読み出す。
【００３９】
Ｓ３：読み出した情報に問題がないかどうか判定する。例えば、ＲＦＩＤの情報（ＲＯＭのバージョンなど）が前回と変わっていて、しかもその変更が更新履歴に現れていない場合、ＲＦＩＤの固有情報（ＲＯＭの検査合計など）が予め登録された情報と一致しない場合、ＲＦＩＤリーダ／ライター４で書き込んだ管理情報（書き込み処理を行った時刻など筐体固有の情報）が一部のＲＦＩＤで異なっている場合など、問題あり（ＮＧ）と判定する。問題がなければ（ＯＫ）、ＲＦＩＤの書き換え処理を実行する。
【００４０】
Ｓ４：判定結果に問題があれば、不正行為によりＲＯＭなどが交換された可能性があるから、エラー報知を行う。筐体のブザーの吹鳴やランプの点滅を行うことが考えられるが、ＲＦＩＤリーダ／ライター４のエラー出力を外部に引き出すようにしてもよい。
【００４１】
Ｓ１０：ＲＦＩＤ読み出し処理で問題が生じなければ、予め定められたタイミングでＲＦＩＤを書き換える。例えば、例えば、タイマーを用いて定期的に読み出したり、外部からの信号やスイッチ操作に応じて読み出したりする。また、部品交換時に書き換えるようにしてもよい。
【００４２】
Ｓ１１：ＲＦＩＤの少なくとも一部の情報を書き換え、内容を更新する。本発明の実施の形態は、ＲＦＩＤの情報を工場出荷・機器設置の時点のままの固定値とするのではなく、アクティブに変化させることを特徴とする。これによりＲＦＩＤを単なる機器管理・部品管理としてではなく、不正行為防止にも用いることができるようになる。例えば、書き換えの時刻情報（時刻情報を特定の関数や論理演算で加工した情報でもよい）を履歴情報として書き込む。あるいは、ＲＯＭに記憶されているデータから得られる特徴値（検査合計、ハッシュ値など）を書き込むようにしてもよい。また、部品が交換されたときに、その部品のＲＦＩＤに書き込まれたバージョン情報を書き込むようにしてもよい。部品の交換履歴を書き込むようにしてもよい。以上の情報は遊技機固有の情報であり機種に共通な情報ではないので不正行為者が予め知ることは困難である。したがって、不正に部品交換をおこなうとＲＦＩＤの情報に不一致が生じ、前述のＳ３で問題ありと判定される。
【００４３】
なお、正当な管理者が部品交換を行う場合には、携帯端末であるＲＦＩＤリーダ／ライター５でＲＦＩＤの書き換えを行ったり、ＲＦＩＤリーダ／ライター４に情報を送ってエラーを回避したり、エラー報知が行われたときにこれをリセットしたりすることで作業に支障がないようにできる。
【００４４】
発明の実施の形態２．
発明の実施の形態２について図面を参照して説明する。
発明の実施の形態２は、ＲＦＩＤの読み出しをタイマーに基づき所定間隔で行うとともに、ＲＦＩＤに出荷時に記録されている製品情報に加えて、機器に装着後における更新情報を記憶するというものである。
【００４５】
まず、図４を参照してＲＦＩＤ書き換え処理について説明する。
【００４６】
Ｓ２０：ＲＦＩＤリーダ／ライター４に設けられている図示しないタイマーをセットする。
【００４７】
Ｓ２１：タイマーによりＲＦＩＤ書き換えタイミングかどうか判定する。例えば、タイマーに基づき一定間隔で処理を実行したり、タイマーが出力する日付・曜日の情報に基づき営業開始時又は営業終了時（休業日は除く）に処理を実行することが考えられる。
【００４８】
Ｓ２２：ＲＦＩＤ書き換えタイミングに該当する場合、ＲＦＩＤの更新情報を生成する。更新情報を遊技機それぞれに固有のものとすれば、ＲＯＭなどが不正に交換されたときにこれを検出することができる。
固有の情報としてタイマーの時刻情報を用いることができる。時刻情報とは年・月・時・分・秒・曜日などのデータのことであり、本発明の実施の形態ではこれらのうちの少なくともひとつを使用する。分・秒のデータを用いれば遊技機ごとに異なるデータとなる可能性が高く、情報を固有のものとする観点からは好ましい。タイマーによる書き換え間隔を遊技機ごとに異なるようにすると効果的である。書き換えを行うタイミングの時刻情報をそのまま使用してもよいが、時刻情報を所定の関数や論理演算で変形した情報をＲＦＩＤに書き込むようにしてもよい。例えば時刻情報を暗号化することにより安全性をさらに高めることができる。
時刻情報に代えて、あるいは時刻情報とともに、更新回数（書き換えの回数）又はこれを所定の関数や論理演算で変形した情報をＲＦＩＤに書き込むようにしてもよい。
【００４９】
Ｓ２３：生成した更新情報をＲＦＩＤに書き込む。
【００５０】
Ｓ２４：ＲＦＩＤリーダ／ライター４に更新情報（更新時刻、更新回数など）を記憶する。後にＲＦＩＤの更新情報を照合する必要が生じたときのために記憶しておく。
【００５１】
以上の手順で書き込んだＲＦＩＤの情報の例を図５（ａ）に示す。ＲＦＩＤ１−Ｒ，１ｂ−Ｒ、１ａ−Ｒ、２−Ｒ、２ｂ−Ｒ、２ａ−Ｒ、３−Ｒには、それぞれ固有の製品情報ａ〜ｇが予め記憶されている。これに図４の処理で更新情報ｘを追加している。更新情報は同じ遊技機内のＲＦＩＤについては同じ（更新情報ｘ）になっている。
【００５２】
これに対して、図５（ｂ）は一部の部品（サブ基板のＲＯＭ、ハーネス）を交換した場合を示す。サブ基板のＲＯＭを他の遊技機のものと交換するとこれに貼付したＲＦＩＤも同時に交換される。この場合、ＲＦＩＤの製品情報は同じ（製品情報ｅ）であるが、更新情報は遊技機固有のものであるため更新情報は異なっている（更新情報ｘではなく更新情報ｙになっている）。また、ハーネスを新品のものと交換すると、ＲＦＩＤの製品情報は同じ（製品情報ｇ）であるが、更新情報は記憶されていない。部品を交換すると更新情報に上記のような変化が生じる。
【００５３】
次に図６を参照してＲＦＩＤ読み出し処理について説明する。
【００５４】
Ｓ３０：ＲＦＩＤリーダ／ライター４に設けられている図示しないタイマーをセットする。この処理はＳ２０と共通にしてもよい。
【００５５】
Ｓ３１：タイマーによりＲＦＩＤ書き換えタイミングかどうか判定する。例えば、タイマーに基づき一定間隔で処理を実行したり、タイマーが出力する日付・曜日の情報に基づき営業開始時又は営業終了時（休業日は除く）に処理を実行することが考えられる。
【００５６】
Ｓ３２：ＲＦＩＤの情報を読み出す。ＲＦＩＤリーダ／ライター４は各ＲＦＩＤと通信可能になっており、各ＲＦＩＤから情報を読み出す。
【００５７】
Ｓ３３：読み出したＲＦＩＤの情報を更新情報と比較して問題がないかどうか判定する。
例えば、ＲＦＩＤの更新情報をＳ２４で記憶した情報と比較し、不一致のものがあれば問題ありと判定する。最新の更新情報がｘであれば、図５（ａ）の場合は問題がないが、同図（ｂ）の場合はサブ基板のＲＯＭとハーネスについて一致しないので問題あり、と判定する。
あるいは、各ＲＦＩＤの更新情報が一致しているかどうかを調べるようにしてもよい。この場合、Ｓ２４の更新情報の記憶は不要であるが、上記と同じ結果を得ることができる。
【００５８】
Ｓ３４：判定結果に問題があればエラー報知を行う。
なお、正規の管理者が部品の交換を行う場合でも、Ｓ３３でＮＧとなりエラー報知することになるが、エラー報知が行われたときにこれをリセットしたりすることで作業に支障がないようにできる。あるいは、正当な管理者が部品交換を行う場合には、携帯端末であるＲＦＩＤリーダ／ライター５でＲＦＩＤの書き換えを行えばエラーを回避することができる。
【００５９】
図７（ａ）に携帯用ＲＦＩＤリーダ／ライター５によるＲＦＩＤ読み出し処理を示す。当該装置を用いて特定の遊技機の部品が不正に交換されていないかをチェックできる。当該装置を遊技機に近づけ（好ましくは遊技機の扉を開けてその内部にアンテナを挿入し）、所定の操作を行うことによりＲＦＩＤ読み出し処理を実行する。Ｓ３２ｂ〜Ｓ３４ｂの各処理は図６で示したものと同じであるので、その説明は省略する。
【００６０】
図７（ｂ）にＲＦＩＤリーダ／ライター５によるＲＦＩＤ書き換え処理を示す。正規に部品を交換した場合にこの処理を行えば、エラーを発生させることなくＲＦＩＤの情報を更新することができる。
【００６１】
発明の実施の形態３．
発明の実施の形態３について図面を参照して説明する。
発明の実施の形態３は、ＲＦＩＤの読み出しを部品交換時に行うとともに、ＲＦＩＤに出荷時に記録されている製品情報に加えて、機器に装着後における他の部品の製品情報を記憶させるというものである。例えば、基板に設けたＲＦＩＤにＲＯＭの製品情報を記憶したとする。このような場合にＲＯＭをＲＯＭ１からＲＯＭ２に交換した場合にはＲＦＩＤの情報は「ＲＯＭ１」から「ＲＯＭ２」に書き換えられる。これをＲＦＩＤリーダ／ライターで読むとＲＯＭがＲＯＭ１からＲＯＭ２に変わっていることが判る。
【００６２】
図８を参照してＲＦＩＤ書き換え処理について説明する。この処理はＲＦＩＤリーダ／ライター４で行うが、携帯用のＲＦＩＤリーダ／ライター５で行うこともできる。
【００６３】
Ｓ４０：部品が交換されたかどうか判定する。例えば、部品交換時に操作するスイッチを遊技機の筐体内に設け、このスイッチが操作されたときにＲＦＩＤ書き換え処理を行うようにする。あるいは、遊技機の扉近傍にＲＦＩＤを検出するアンテナを設け、このアンテナでＲＦＩＤを検出したとき（扉部分を部品が通過したとき）部品交換と判定するようにしてもよい（後述の図１３の説明参照）。
【００６４】
Ｓ４１：ＲＦＩＤの情報を読み出す。各部品のＲＦＩＤから製品情報を読み出す。メイン基板１のＲＦＩＤ１−Ｒ乃至ハーネスのＲＦＩＤ３−Ｒから、製品情報ａ乃至製品情報ｇが読み出される。
【００６５】
Ｓ４２：ＲＦＩＤの更新情報を生成する。収集した製品情報ａ乃至製品情報ｇから各ＲＦＩＤに書き込むための他の部品の製品情報を生成する。自分自身の製品情報を不要なので、それを除いたほかの部品の製品情報を生成する。
【００６６】
Ｓ４３：ＲＦＩＤの情報を書き換える。
【００６７】
Ｓ４４：ＲＦＩＤリーダ／ライター４に更新情報を記憶する。後にＲＦＩＤの更新情報を照合する必要が生じたときのために記憶しておく。
【００６８】
以上の処理で書き込まれたＲＦＩＤの情報の例を図９に示す。部品交換の度に遊技機の各部品の製品情報が各ＲＦＩＤに記憶される。図８の手順を踏まずに部品交換されると、交換された部品の製品情報と他の部品の製品情報が一致しなくなるので、不正な部品の有無を判定することができる。
【００６９】
次に図１０を参照してＲＦＩＤ読み出し処理について説明する。
【００７０】
Ｓ５０：ＲＦＩＤリーダ／ライター４に設けられている図示しないタイマーをセットする。
【００７１】
Ｓ５１：タイマーによりＲＦＩＤ書き換えタイミングかどうか判定する。例えば、タイマーに基づき一定間隔で処理を実行したり、タイマーが出力する日付・曜日の情報に基づき営業開始時又は営業終了時（休業日は除く）に処理を実行することが考えられる。
【００７２】
Ｓ５２：ＲＦＩＤの情報を読み出す。ＲＦＩＤリーダ／ライター４は各ＲＦＩＤと通信可能になっており、各ＲＦＩＤから情報を読み出す。
【００７３】
Ｓ５３：読み出したＲＦＩＤの情報を他の部品の製品情報と比較して問題がないかどうか判定する。
具体的には、一部の部品についてＲＦＩＤの製品情報（ＲＯＭのバージョンなど）が一致しない場合、問題あり（ＮＧ）と判定する。例えば、メイン基板のＲＯＭの製品情報は他の部品のＲＦＩＤに記憶されている他の部品の製品情報によれば製品情報ｂであるのに、実際に装着されているＲＯＭのＲＦＩＤによれば製品情報ｂ’になっているような場合である。問題がなければ（ＯＫ）、ＲＦＩＤの書き換え処理を実行する。
【００７４】
Ｓ５４：判定結果に問題があればエラー報知を行う。
なお、図１０の処理を携帯用ＲＦＩＤリーダ／ライターで行うようにしてもよい。その場合、Ｓ５０、Ｓ５１の処理は不要である。
【００７５】
発明の実施の形態４．
発明の実施の形態４について図面を参照して説明する。
発明の実施の形態４は、ＲＦＩＤの書き換え処理をＲＯＭの交換時に行うとともに、ＲＦＩＤに出荷時に記録されている製品情報に加えて、ＲＯＭの検査合計などの固有の特徴値を記憶するというものである。ＲＯＭの交換時にＣＰＵがＲＯＭの検査合計を読み出してＲＦＩＤに記憶させておくようにし、ＲＦＩＤリーダ／ライター４、５には予め当該ＲＯＭの検査合計を登録するようにしておく。そうすればＲＦＩＤリーダ／ライター４，５でＲＯＭの特徴値を読んだときに、これを予め登録されたＲＯＭの特徴値と比較し、これらが一致しない場合にはＲＯＭに交換されたことをチェックできる。
【００７６】
図１１を参照してＲＦＩＤ書き換え処理について説明する。この処理はＲＦＩＤリーダ／ライター４で行うが、携帯用のＲＦＩＤリーダ／ライター５で行うこともできる。
【００７７】
Ｓ６０：ＲＯＭが交換されたかどうか判定する。例えば、ＲＯＭ交換時に操作するスイッチを遊技機の筐体内に設け、このスイッチが操作されたときにＲＦＩＤ書き換え処理を行うようにする。
あるいは、遊技機の扉近傍にＲＦＩＤを検出するアンテナを設け、このアンテナでＲＦＩＤを検出したとき（扉部分をＲＯＭが通過したとき）部品交換と判定するようにしてもよい。不正行為の際は扉をわずかに開けてＲＯＭ交換を行うと考えられるので、図１３（ａ）に示すように扉の端部にアンテナＡを設けたり、扉の端部に対応する本体の前面角にアンテナＡ’を設けるようにすることが、不正行為検出のために好ましいと思われる。あるいは、図１３（ｂ）に示すように扉の先端と本体の前面角の間にアンテナＡ’’を設けてもよい。上記アンテナは、不正行為の際に扉をわずかに開けてＲＯＭ交換を行うことを検出するためのものであり、したがってそのような行為の際にＲＦＩＤを装着したＲＯＭが通過する経路の近傍又は当該経路に沿って設けられる。上記扉の端部とはそのような意味であり、上記不正なＲＯＭ交換の際にＲＯＭが通過する経路であって遊技機筐体の内部と外部の境界近傍（より正確には境界近傍の遊技機筐体の内部側）を意味する。
【００７８】
Ｓ６１：ＲＯＭの情報を読み出す。例えば、ＲＯＭ交換後の電源投入又はリセットによりＣＰＵが初期動作を行う際に、ＲＯＭの内容を読み出すようにする。
【００７９】
Ｓ６２：読み出したＲＯＭの内容に基づきＲＯＭの特徴値、典型的には検査合計を生成する。検査合計以外にも所定の関数や論理式で求めた特徴値を使用することができる。なお、Ｓ６０乃至Ｓ６１はＲＦＩＤリーダ／ライター４，５ではなくメイン基板１のＣＰＵやサブ基板２のＣＰＵで行うようにもできる。ＲＦＩＤリーダ／ライター４，５は、例えば基板側のＲＦＩＤによりＣＰＵと通信可能に構成されている。
【００８０】
Ｓ６３：ＲＦＩＤの情報を書き換える。
【００８１】
Ｓ６４：ＲＦＩＤリーダ／ライター４に更新情報を記憶する。後にＲＦＩＤの更新情報を照合する必要が生じたときのために記憶しておく。
【００８２】
以上の処理でＲＯＭ交換の度にＲＯＭの特徴値が各ＲＦＩＤに記憶される。
【００８３】
次に図１２を参照してＲＦＩＤ読み出し処理について説明する。
【００８４】
Ｓ７０：交換された新しいＲＯＭの特徴値を取得する。上記Ｓ６４で記憶した更新情報を利用できる。
【００８５】
Ｓ７１：ＲＦＩＤリーダ／ライター４に設けられている図示しないタイマーをセットする。
【００８６】
Ｓ７２：タイマーによりＲＦＩＤ書き換えタイミングかどうか判定する。例えば、タイマーに基づき一定間隔で処理を実行したり、タイマーが出力する日付・曜日の情報に基づき営業開始時又は営業終了時（休業日は除く）に処理を実行することが考えられる。
【００８７】
Ｓ７３：ＲＦＩＤの情報を読み出す。ＲＦＩＤリーダ／ライター４は各ＲＦＩＤと通信可能になっており、各ＲＦＩＤから情報を読み出す。
【００８８】
Ｓ７４：読み出したＲＦＩＤの情報をＲＯＭの特徴値（Ｓ６４で予め記憶されたもの、又は、ＲＦＩＤから読み出された特徴値）と比較して問題がないかどうか判定する。特徴値が一致しないということは、ＲＯＭが不正に交換されたと判定できるから、Ｓ７５に進み、エラー報知する。
【００８９】
Ｓ７５：判定結果に問題があればエラー報知を行う。
【００９０】
なお、図１２の処理を携帯用ＲＦＩＤリーダ／ライターで行うようにしてもよい。その場合、Ｓ７１、Ｓ７２の処理は不要である。
【００９１】
本発明の実施の形態によれば、ＲＯＭ，ＣＰＵ、基板、ハーネス等のそれぞれにＲＦＩＤを設けて、これらに関する情報をＲＦＩＤリーダ／ライターで書き換えるとともに、前記情報を読み取って管理するようにしたので、不正な部品交換等の異常を容易に発見することができる。遊技機に対する不正行為を有効に防止することができる。
【００９２】
なお、以上の説明において回胴式遊技機を例に挙げたが本発明はこれに限定されない。弾球遊技機のような他の遊技機にも適用できるのは言うまでも無い。
【００９３】
本発明は、以上の実施の形態に限定されることなく、特許請求の範囲に記載された発明の範囲内で、種々の変更が可能であり、それらも本発明の範囲内に包含されるものであることは言うまでもない。
【００９４】
また、本明細書において、手段とは必ずしも物理的手段を意味するものではなく、各手段の機能が、ソフトウェアによって実現される場合も包含する。さらに、一つの手段の機能が、二つ以上の物理的手段により実現されても、若しくは、二つ以上の手段の機能が、一つの物理的手段により実現されてもよい。
【図面の簡単な説明】
【００９５】
【図１】遊技機（スロットマシン）の正面図である。
【図２】本発明の実施の形態に係る遊技機のブロック図である。
【図３】図３（ａ）は本発明の実施の形態１に係るＲＦＩＤ読み出し処理のフローチャート、図３（ｂ）は同ＲＦＩＤ書き換え処理のフローチャートである。
【図４】本発明の実施の形態２に係るＲＦＩＤ書き換え処理のフローチャートである。
【図５】図５（ａ）は本発明の実施の形態２に係るＲＦＩＤ書き換え処理によりＲＦＩＤに書き込まれた情報の説明図、図５（ｂ）は部品が交換されたときのＲＦＩＤの情報の説明図である。
【図６】本発明の実施の形態２に係るＲＦＩＤ読み出し処理のフローチャートである。
【図７】図７（ａ）は本発明の実施の形態２に係る携帯用ＲＦＩＤリーダ／ライターによるＲＦＩＤ読み出し処理のフローチャート、図７（ｂ）は同ＲＦＩＤ書き換え処理のフローチャートである。
【図８】本発明の実施の形態３に係るＲＦＩＤ書き換え処理のフローチャートである。
【図９】本発明の実施の形態３に係るＲＦＩＤ書き換え処理によりＲＦＩＤに書き込まれた情報の説明図である。
【図１０】本発明の実施の形態３に係るＲＦＩＤ読み出し処理のフローチャートである。
【図１１】本発明の実施の形態４に係るＲＦＩＤ書き換え処理のフローチャートである。
【図１２】本発明の実施の形態４に係るＲＦＩＤ読み出し処理のフローチャートである。
【図１３】本発明の実施の形態４に係るアンテナ配置の説明図である。
【符号の説明】
【００９６】
１    メイン基板
１−Ｒ  メイン基板のＲＦＩＤ
１ａ  メイン基板のＣＰＵ
１ａ−Ｒ  メイン基板のＣＰＵのＲＦＩＤ
１ｂ  メイン基板のＲＯＭ
１ｂ−Ｒ  メイン基板のＲＯＭのＲＦＩＤ
２    サブ基板
２−Ｒ  サブ基板のＲＦＩＤ
２ａ  サブ基板のＣＰＵ
２ａ−Ｒ  サブ基板のＣＰＵのＲＦＩＤ
２ｂ  サブ基板のＲＯＭ
２ｂ−Ｒ  サブ基板のＲＯＭのＲＦＩＤ
３    ハーネス
３−Ｒ  ハーネスのＲＦＩＤ
４    遊技機筐体内のＲＦＩＤリーダ／ライター
４１  読み出し処理部
４２  書き込み処理部
５    携帯用ＲＦＩＤリーダ／ライター
１０    スロットマシン
１１    筐体
１２    表示窓
１３    図柄表示窓
１６    ベットスイッチ
１７    精算スイッチ
３０    スタートスイッチ
４０    回転リール
４２    リールテープ
５０    ストップスイッチ
６０    リールユニット
６１    図柄
６２    液晶表示部
７０    リール駆動部
７１    リール位置検出回路
８０    ホッパー駆動部
８１    ホッパー
８２    メダル検出部
１００  メダル投入口
２００  液晶制御基板
２０１  スピーカ
２０２  ＬＥＤ基板
３０４  メダル払い出し口
３１１  メダル受け部（下皿）
Ａ、Ａ’、Ａ’’  アンテナ
【図１】
2006000519.tif 000003
【図２】
2006000519.tif 000004
【図３】
2006000519.tif 000005
【図４】
2006000519.tif 000006
【図５】
2006000519.tif 000007
【図６】
2006000519.tif 000008
【図７】
2006000519.tif 000009
【図８】
2006000519.tif 000010
【図９】
2006000519.tif 000011
【図１０】
2006000519.tif 000012
【図１１】
2006000519.tif 000013
【図１２】
2006000519.tif 000014
【図１３】
2006000519.tif 000015